(57)【要約】【課題】            可及的に構造を簡単にして本をセットし易くした読書用スタンドを提供する。【解決手段】        基台と、この基台上に立設された伸縮可能な構成の支持手段と、この支持手段の自由端側へ着脱可能かつ傾斜角度調節可能に挿入係止される保持板部と、この保持板部の下端部に本を支えるために直角方向へ突設した支持棚部と、この支持棚部に設けた一対の下部本押え部材と、前記保持板部の下部内側へ挿脱可能に設けた一対の下部ページ押え部材と、前記保持板部の上部両側へ挿脱可能に設けた一対の上部ページ押え部材と、前記保持板部の上部に中心部を挟んで左右に挿脱可能に設けた一対の上部本押え部材とから成り、前記下部本押え部材は本押え部材と、前記支持棚部へ前後方向及び又は左右方向に設けたガイド長孔へ移動可能に挿通させた雄ネジ部と、この雄ネジ部に前記支持棚部を介してネジ着させた締付ナットとで構成する。【選択図】          図２
2005103152.tif 000002
【特許請求の範囲】
【請求項１】
基台と、この基台上に立設された伸縮可能な構成の支持手段と、この支持手段の自由端側へ着脱可能かつ傾斜角度調節可能に挿入係止される保持板部と、この保持板部の下端部に本を支えるために直角方向へ突設した支持棚部と、この支持棚部に設けた一対の下部本押え部材と、前記保持板部の下部内側へ挿脱可能に設けた一対の下部ページ押え部材と、前記保持板部の上部両側へ挿脱可能に設けた一対の上部ページ押え部材と、前記保持板部の上部に中心部を挟んで左右に挿脱可能に設けた一対の上部本押え部材とから成り、前記下部本押え部材は本押え部材と、前記支持棚部へ前後方向及び又は左右方向に設けたガイド長孔へ移動可能に挿通させた雄ネジ部と、この雄ネジ部に前記支持棚部を介してネジ着させた締付ナットとで構成したことを特徴とする、読書用スタンド。
【請求項２】
前記保持板部には、前記支持手段の先端部を着脱可能に挿入させる保持部と、前記下部ページ押え部材を挿脱可能に挿入させる挿入間隙と、前記上部ページ押え部材を挿脱可能に挿入させる筒部と、前記上部本押え部材を挿脱可能に挿入させる挿入溝が各々同一平面で衝接しないように設けられていることを特徴とする、請求項１に記載の読書用スタンド。
【請求項３】
前記基台は、水平方向へ旋回可能な複数の補助脚を有し、この各補助脚同士は、着脱可能に取り付けらる安定バーによって、その旋回位置で固定されていることを特徴とする、請求項１乃至２のいずれかに記載の読書用スタンド。
【発明の詳細な説明】
【技術分野】
【０００１】
この発明は、とくに寝たままで本を読む際に用いて好適な読書用スタンドに関する。
【背景技術】
【０００２】
この発明者は、先の出願において以下の特許文献に記載された構成の読書用スタンドを提案した。
【０００３】
【特許文献１】特開２０００−２３７５７号公開特許公報  この特許文献に記載されたものは、基台と、この基台上に立設された伸縮可能な構成の支持手段と、この支持手段の自由端側を着脱可能かつ傾斜角度調節可能に挿入係止する本保持部を有し下端部に支持棚部を設けた保持板部と、この保持板部に上下方向へ摺動可能に取り付けられた調節板部と、前記保持板部の支持棚部に設けられた本等の下部を押える下部押え手段と、前記調節板部の両側部に伸縮可能に取り付けられた一対の本等の上部ページ押え部材と、前記調節板部に伸縮及び又は揺動可能に取り付けた本等の上部押え部材と、前記支持棚部に取り付けられ前記調節板部に係止される伸縮自在な一対の本押え紐とから成り、前記下部押え手段を支持棚部に前後動可能に取り付けられた下部表紙押え部材と、前記支持棚部に前後方向へ揺動可能かつ長手方向へ摺動可能に取り付けられた下部ページ押え部材とで構成したものであった。
【発明の開示】
【発明が解決しようとする課題】
【０００４】
この従来公知の読書用スタンドは、構造が複雑であることから、本をセットするまでに時間がかかり、操作性に難点があるという問題があった。
【０００５】
この発明の目的は、可及的に構造を簡単にして本をセットし易くした読書用スタンドを提供せんとするにある。
【課題を解決するための手段】
【０００６】
上述した目的を達成するためにこの発明は、基台と、この基台上に立設された伸縮可能な構成の支持手段と、この支持手段の自由端側へ着脱可能かつ傾斜角度調節可能に挿入係止される保持板部と、この保持板部の下端部に本を支えるために直角方向へ突設した支持棚部と、この支持棚部に設けた一対の下部本押え部材と、前記保持板部の下部内側へ挿脱可能に設けた一対の下部ページ押え部材と、前記保持板部の上部両側へ挿脱可能に設けた一対の上部ページ押え部材と、前記保持板部の上部に中心部を挟んで左右に挿脱可能に設けた一対の上部本押え部材とから成り、前記下部本押え部材は本押え部材と、前記支持棚部へ前後方向及び又は左右方向に設けたガイド長孔へ移動可能に挿通させた雄ネジ部と、この雄ネジ部に前記支持棚部を介してネジ着させた締付ナットとで構成したことを特徴とする。
【０００７】
その際にこの発明は、前記保持板部に、前記支持手段の先端部を着脱可能に挿入させる保持部と、前記下部ページ押え部材を挿脱可能に挿入させる挿入間隙と、前記上部ページ押え部材を挿脱可能に挿入させる筒部と、前記上部本押え部材を挿脱可能に挿入させる挿入溝とを、各々同一平面で衝接しないように設けることを特徴とする。
【０００８】
さらにこの発明は、前記基台に、水平方向へ旋回可能な複数の補助脚を設け、この各補助脚同士を、着脱可能に取り付けらる安定バーによって、その旋回位置で固定できるように構成することができる。
【発明の効果】
【０００９】
この発明は以上のように構成したので、次のような効果を奏し得る。
【００１０】
請求項１のように構成すると、構成が簡単になったので、本をセットし易く、操作性が著しく向上するという効果を奏し得る。
【００１１】
請求項２のように構成すると、保持板部へ多方向から挿入される、支持手段の先端部や上部及び下ページ押え部材や上部本押え部材の各挿入部が同一平面で交叉して互いに干渉し合うことがないという効果を奏し得る。
【００１２】
請求項３のように構成すると、複数ある補助脚の旋回操作が容易である上に、安定バーによって旋回位置で安定して経時変化を起こすことがないので、基台が安定性が高まるという効果を奏し得る。
【発明を実施するための最良の形態】
【００１３】
図面はこの発明の一実施の形態を示す。
【実施例１】
【００１４】
図１乃至図７において、指示記号１は四すみに安定性を増大させるための補助脚１ａを平面方向へ旋回可能に軸着して成る平板状の基台であり、上面の中央部一側にボス部材２が立設されている。そして、各補助脚１ａ同士は、マジックテープ（登録商標）等の手段によって着脱可能に取り付けられる安定バー１ｂ，１ｂ・・・が取り付けられ、各補助脚１ａが開脚状態で安定位置を保つように工夫されている。
【００１５】
指示記号３は互いに軸方向へ嵌縮自在に連結された４本の支持パイプ３ａ，３ｂ，３ｃ，３ｄと、支持パイプ３ｄの上端に自在継手３ｅを介して揺動可能に取り付けられた先端に係止溝３ｆを有する挿入係止棒３ｇから成る支持手段であり、支持パイプ３ａの下端部をボス部材２へ挿入させることによって、基台１上へ着脱可能に立設されている。勿論、この部分は固定させても良い。各支持パイプ３ａ，３ｂ，３ｃ，３ｄは互いを写真機の三脚のように長さを調節した後で固定させるように構成しても良いが、摩擦力によって容易には伸縮しないように構成しても良い。
【００１６】
とくに図２と図６に示したように、支持手段３の挿入係止棒３ｇを保持部５に挿入係止させることによって、該支持手段３の自由端側に本の保持板部４が着脱可能に取付られている。この保持板部４は、基板６とこの基板６の下端部に設けた支持棚部７を有し、基板６の後部には、とくに図５と図６に示したように、内部を空洞にした保持部５が設けられている。この保持部５は下端部側に挿入口５ａを有し、この挿入口５ａに続く空洞５ｃ内部には扇状に配置した複数の係止片５ｂが取り付けられており、支持手段３の挿入係止棒３ｇの係止溝３ｆがどの係止片５ｂと係合するかによって、保持板部４の傾斜方向を変えることができるようになっている。
【００１７】
とくに図５に示したように、保持部５と基板６との間には挿入間隙８が設けられ、この挿入間隙８に左右から挿脱可能に挿入部９ａと透明で弾性を有する部材で構成した湾曲部９ｂから成る一対の下部ページ押え部材９，９が挿入されており、この下部ページ押え部材９，９は挿入部９ａ，９ａ側に例えばマジックテープ（登録商標）のような摩擦部材９ｃ，９ｃ（一方のみ表示）が貼着され、間隙８への挿入位置が容易にはずれないように工夫されている。
【００１８】
基板６には、とくに図３乃至図５に示したように、中心部を挟んで左右縦方向に挿入溝６ａ，６ａが設けられ、この挿入溝６ａ，６ａには挿脱可能に挿入部１０ａと透明で弾性を有する部材で構成した湾曲部１０ｂを有する上部本押え部材１０，１０がその挿入部１０ａ，１０ａを挿脱自在に挿入されている。
【００１９】
基板６の後部上端で保持部５の上部には、とくに図３乃至図５に示したように、水平方向に両端部開放の筒部１１が取り付けられ、この筒部１１には左右方向から挿入部１２ａと透明で弾性を有する部材で構成された湾曲部１２ｂを有する上部ページ押え部材１２，１２が挿入部１２ａ，１２ａを挿脱可能に挿入されている。この上部ページ押え部材１２，１２の挿入部１２ａ，１２ａには、例えばマジックテープ（登録商標）のような摩擦部材１２ｃ，１２ｃが取り付けられ、筒体１１への挿入位置が容易にはずれないように工夫されている。
【００２０】
そして、保持部５、挿入間隙８、挿入溝６ａ、及び筒部１１は、それぞれに挿入される挿入係止棒３ｇと、下部ページ押え部材９，９、上部本押え部材１０，１０、及び上部ページ押え部材１２，１２の各挿入部９ｂ，９ｂ・１０ｂ，１０ｂ及び１２ｂ，１２ｂが、互いに衝接し合わないように、その設置位置をずらせて設けてある。
【００２１】
次に、とくに図３乃至図５に示したように、支持棚部７の上面には、該支持棚部７に対して縦方向にその中心部を挟んで２本の縦型ガイド長孔１３ａ，１３ａと、この縦型ガイド長孔１３ａ，１３ａから左右の水平方向に延びる平行ガイド長孔１３ｂ，１３ｂ・１３ｃ，１３ｃとから成るガイド長孔１３，１３が設けられ、このガイド長孔１３，１３に下部本押え部材１４，１４が移動可能に取り付けられている。尚、このガイド長孔の構成は実施の形態のものに限定されない。この下部本押え部材１４，１４は、本押え部１４ａ，１４ａと雄ネジ部１４ｂ，１４ｂとナット部１４ｃ，１４ｃから成り、ナット１４ｃ，１４ｃを強めて雄ネジ部１４ｂ，１４ｂをガイド長孔１３，１３内で移動させ、本押え部１４ａ，１４ａで本を押えた後、ナット１４ｃ，１４ｃを締め付けて下部本押え部材１４，１４をガイド長孔１３，１３のいずれかの位置で固定するものである。その他、保持板部４の上端中央部に後方へ突出させて設けたものは取手１５である。
【００２２】
したがって、下部ページ押え部材９，９と、上部本押え部材１０，１０と、上部ページ押え部材１２，１２を、とくに図２に示したように、外方向へ引き出して本を装着できるスペースを空け、さらに下部本押え部材１４，１４を、ガイド長孔１３，１３内で移動させて本Ａを装着できるスペースを空けた後、図３に想像線で示したように、本Ａを開いて保持板部４の支持棚部７上に置き、その上部と下部を各々上部本押え部材１０，１０の湾曲押え部１０ｂ，１０ｂと下部本押え部材１４，１４の本押え部１４ａ，１４ａとによって押え、下部本押え部材１４，１４はナット１４ｃ，１４ｃを締め付けて固定する。続いて上部ページ押え部材１２，１２の湾曲押え部１２ｂ，１２ｂと下部ページ押え部材９，９の湾曲押え部９ｂ，９ｂを使用して本Ａの上下部のページを押えた後、保持部５の挿入口５ａより支持手段３の挿入係止棒３ｅを挿入し、どれかの係止片５ｂへ係止溝３ｆを係止させて、保持板部４の傾斜角度を調節し、或は支持手段３の各支持パイプ３ａ〜３ｄを伸縮させたり、自在継手３ｅの部分を曲げたりして保持板部４の高さや傾斜位置を調節して本Ａが見易い位置に調節する。このようにして、寝たままで本Ａを読み、読み終えたページをめくって一方の上下部のページ押え部材９，１２の湾曲押え部９ｂ，１２ｂより外し、もう一方の上下部のページ押え部材９，１２の湾曲押え部９ｂ，１２ｂへ挟み込むことにより、寝ながらにして両手で本Ａを持たずに読書を行うことができるものである。
【００２３】
各上下部の各ページ押え部材９，９・１２，１２及び上部本押え部材１０の各湾曲押え部９ｂ，９ｂ・１２ｂ，１２ｂ・１０ｂ，１０ｂは透明の材料で構成してあるので、各ページの字の上から押えても、その部分の字が読めなくなるということはない。
【００２４】
さらに、上部本押え部材１０，１０とした部本押え部材１４，１４は、現に読書しているページの上から本を押える以外に、ページの中に、湾曲押え部１０ｂ，１０ｂを挿入させ、ハードカバーのものは本の表紙と裏表紙を押えるように使用することができる。
【００２５】
次に、本が週刊紙のように大判のものの場合には、下部ページ押え部材９，９、上部本押え部材１０，１０、及び上部ページ押え部材１２，１２を図２に示したように、外方向へ引き出して本の大きさに合わせる。次いで、下部本押え部材１４，１４の本押え部１４ａ，１４ａと上部本押え部材１０，１０の各湾曲押え部１０ｂ，１０ｂを用いて本を保持板部４と支持棚部７上へ固定させる。そして、本の読みたいページを開いて下部ページ押え部材９，９の湾曲押え部９ｂ，９ｂと上部ページ押え部材１２，１２の各湾曲押え部１２ｂ，１２ｂを用いて、該本の上部と下部の各ページを押えた後、保持板部４の保持部５へ上述したように支持手段３の挿入係止棒３ｅを挿入させて、上述した本Ａの場合のように、本Ａが読み易いように傾斜や高さを調節するものである。
【００２６】
後は、開いてあるページを読み終えると、読み終えたページを押えている一方の上部・下部ページ押え部材１２，９の各湾曲押え部１２ｂ，９ｂよりページを外して、他方の上部・下部ページ押え部材１２，９のもう一方の湾曲押え部１２ｂ，９ｂの間に差し込むことによってページ送りが終了することになる。この場合にも各上部・下部ページ押え部材１２，１２・９，９及び上部本押え部材１０，１０の湾曲押え部１０ｂ，１０ｂは透明の材料で構成してあるので、字を印刷してあるページの上から押えても字が読めなくなるということはない。
【産業上の利用可能性】
【００２７】
この発明に係る読書用スタンドは、寝ながらにして手で本を持たずに読書ができるので、長時間読書しても手が疲れないことから、健常者はもとより、寝たきりの病人や高齢者にとって便利有用なものである。
【図面の簡単な説明】
【００２８】
【図１】この発明に係る読書用スタンドの斜視図である。
【図２】この発明に係る読書用スタンドの一部分解斜視図である。
【図３】この発明に係る読書用スタンドの保持板部の斜視図である。
【図４】この発明に係る読書用スタンドの保持板部の平面図である。
【図５】この発明に係る読書用スタンドの保持板部の側断面図である。
【図６】この発明に係る読書用スタンドの保持板部の保持部の部分の縦断面図である。
【図７】この発明に係る読書用スタンドの保持板部の動作を説明する説明図である。
【符号の説明】
【００２９】
１  基台
１ａ  補助脚
１ｂ  安定バー
２  ボス部材
３  支持手段
３ａ  支持パイプ
３ｂ  支持パイプ
３ｃ  支持パイプ
３ｄ  支持パイプ
３ｅ  自在継手
３ｆ  係止溝
３ｇ  挿入係止棒
４  保持板部
５  保持部
５ａ  挿入口
５ｂ  係止片
６  基板
６ａ  挿入溝
７  支持棚部
８  間隙
９  下部ページ押え部材
９ａ  挿入部
９ｂ  湾曲押え部
９ｃ  摩擦部材
１０  上部本押え部材
１０ａ  挿入部
１０ｂ  湾曲押え部
１１  筒体
１２  上部ページ押え部材
１２ａ  挿入部
１２ｂ  湾曲押え部
１２ｃ  摩擦部材
１３  ガイド長孔
１３ａ  縦型ガイド長孔
１３ｂ  平行ガイド長孔
１３ｃ  平行ガイド長孔
１４  下部本押え部材
１４ａ  本押え部
１４ｂ  雄ネジ部
１４ｃ  締付ナット
１５  取手
【図１】
2005103152.tif 000003
【図２】
2005103152.tif 000004
【図３】
2005103152.tif 000005
【図４】
2005103152.tif 000006
【図５】
2005103152.tif 000007
【図６】
2005103152.tif 000008
【図７】
2005103152.tif 000009